(57)【要約】【課題】例えば風力発電機や街路灯等の機器を支柱を介して地上等に設置する場合などに用いる支柱支持装置に係り、作業車が近づけない場所でも設置可能で、悪戯による巻取機の回動操作や盗難を防止できると共に、支柱を複数本設置する場合にも、各支柱毎に巻取機を設置することなく支柱の起倒操作を行うことができるようにする。【解決手段】風力発電機Ｇ等の機器を支柱１の上部に取付け、その支柱１の下部を支持台２上に起倒可能に連結すると共に、上記支柱１に一端を連結したワイヤＷの他端をウィンチ等の巻取機５で巻き取り或いは巻き戻すことによって、上記支柱１を起倒させるように構成した支柱支持装置において、上記巻取機５を補助柱６を介して上記支持台２に脱着可能に取付けたことを特徴とする。【選択図】  図１
2007146524.tif 000002
【特許請求の範囲】
【請求項１】
風力発電機等の機器を支柱の上部に取付け、その支柱の下部を支持台上に起倒可能に連結すると共に、上記支柱に一端を連結したワイヤの他端をウィンチ等の巻取機で巻き取り或いは巻き戻すことによって、上記支柱を起倒させるように構成した支柱支持装置において、上記巻取機を補助柱を介して上記支持台に脱着可能に取付けたことを特徴とする支柱支持装置。
【請求項２】
上記補助柱を上記支持台に脱着可能に取付けると共に、その補助柱の上端部に上記支柱と巻取機との間のワイヤをガイドするガイドプーリを回転自由に設けてなる請求項１に記載の支柱支持装置。
【請求項３】
上記巻取機を上記補助柱の側面に高さ調節可能に取付けてなる請求項１または２に記載の支柱支持装置。
【発明の詳細な説明】
【技術分野】
【０００１】
本発明は、例えば風力発電機や街路灯等の機器を支柱を介して地上等に設置する場合などに用いる支柱支持装置に関する。
【背景技術】
【０００２】
従来、例えば風力発電機や街路灯等の機器を、地上から所定の高さ位置に設置する場合には、地上に支柱を立設し、その支柱の上部に上記の機器を取付けるのが一般的である。また上記のような風力発電機や街路灯等の機器は、定期的もしくは必要に応じて適時に保守点検や部品交換等のメンテナンス作業を行う必要があるが、上記機器を高所に設置したままで作業を行うのは、困難もしくは不可能である場合も少なくない。
【０００３】
そこで、下記特許文献１の特に図３の実施例および下記特許文献２には、風力発電機や街路灯等の機器を支柱の上部に取付け、その支柱の下部を支持台上に起倒可能に連結すると共に、上記支柱に一端を連結したワイヤの他端をウィンチ等の巻取機で巻き取り或いは巻き戻すことによって、上記支柱を起倒させるように構成したものが提案されている。
【０００４】
ところが、上記特許文献１の図３の実施例のようにウィンチ等の巻取機を、作業車に搭載して移動させるものは、支柱の設置場所によっては作業車が近づけない場合があり、特に風力発電機等を設置する場所は、道路から離れた軟弱な地盤で作業車が進入出来なかったり、作業車を安定性よく配置するためのスペースを確保できない場合も少なくない。
【０００５】
一方、特許文献２のものは、ウィンチ等の巻取機を支持台等に取付けるようにしたから上記のような問題はないが、上記巻取機を常時取付けた状態のままで設置しなければならないので、上記巻取機を悪戯で回動操作したり盗難等のおそれがある。また複数本の支柱を設置する場合には、その各支柱毎に巻取機を設けなければならないので製作コストが嵩む等の不具合があった。
【０００６】
【特許文献１】特開平７−２９３０４０号公報
【特許文献２】特開２０００−２４９０３９号公報
【発明の開示】
【発明が解決しようとする課題】
【０００７】
本発明は、上記の問題点に鑑みて提案されたもので、作業車が近づけない場所でも設置可能で、悪戯による巻取機の回動操作や盗難を防止できると共に、支柱を複数本設置する場合にも、各支柱毎に巻取機を設置することなく支柱の起倒操作を行うことのできる支柱支持装置を提供することを目的とする。
【課題を解決するための手段】
【０００８】
上記の目的を達成するために本発明による支柱支持装置は、以下の構成としたものである。即ち、風力発電機等の機器を支柱の上部に取付け、その支柱の下部を支持台上に起倒可能に連結すると共に、上記支柱に一端を連結したワイヤの他端をウィンチ等の巻取機で巻き取り或いは巻き戻すことによって、上記支柱を起倒させるように構成した支柱支持装置において、上記巻取機を補助柱を介して上記支持台に脱着可能に取付けたことを特徴とする。
【発明の効果】
【０００９】
上記のようにウィンチ等の巻取機を補助柱を介して上記支持台に脱着可能に取付けたことによって、不使用時は上記巻取機および必要に応じて補助柱をも含めて支持台から離脱させておけば、悪戯による巻取機の回動操作や盗難を防止できると共に、支柱を複数本設置する場合には、各支柱毎に巻取機を設置することなく、１つの巻取機で複数個の支柱の起倒操作を行うことが可能となる。
【発明を実施するための最良の形態】
【００１０】
以下、本発明を風力発電機を支持する支柱に適用した場合を例にして、図に示す実施形態に基づいて具体的に説明する。
【００１１】
図１は本発明による支柱支持装置の一実施形態を示す正面図、図２はその一部の拡大図、図３（ａ）および（ｂ）は更に拡大した一部の平面図および正面図、図４（ａ）および（ｂ）は支柱を倒した状態の平面図および正面図である。
【００１２】
図において、１は風力発電機Ｇを支持する支柱で、その支柱１は、本実施形態においては、複数本の管材１ａ〜１ｄを順に嵌合接続して押ねじ１０等で抜け止め固定した構成であり、その支柱１の上部、図の場合は最上位の管材１ａの上端部に風力発電機Ｇが取付けられている。
【００１３】
また上記支柱１の下部は、支持台２に起倒可能に連結したもので、図の場合は最下位の管材１ｄの下端部に平面略方形の基板１１を溶接等で一体的に設け、その基板１１の一端側をヒンジ３を介して上記支持台２の上部に起倒可能に取付けた構成である。図中、１２は上記管材１ｄの外周面と上記基板１１とで形成される角部に溶接等で一体的に設けた補強板である。
【００１４】
上記支持台２は、本実施形態においては、図４に示すように平面略方形の上下一対の支持板２１・２２間に、平面略方形の短筒体２３と、その周囲に設けた多数の補強板２４とを、それぞれ溶接等で一体的に固着して台座状に形成したものである。
【００１５】
また上記ヒンジ３は、図３に示すように上記支持台２の上側の支持板２１の上面に溶接等で一体的に固着した一対の筒体３１・３１間に、基板１１に溶接等で一体的に固着した筒体３２を介在させ、それらの筒体３１・３２にボルト等よりなる起倒軸３３を挿通させることによって、上記基板１１を支持台２に対して起倒可能に連結した構成である。
【００１６】
上記支柱１を起立させる際には、図４の状態から上記のヒンジ３により、基板１１を図３（ｂ）のように支持台２の上側の支持板２１上に重ね、その基板１１と支持板２１とに形成したボルト挿通孔１１ａ・２１ａ（図４参照）にボルト１３を挿通し、ナット１４をねじ込むことによって、上記支柱１を図１〜図３のように起立状態に保持させる構成である。
【００１７】
また上記支持台２は、図の場合は、地面Ｅ上に設置して複数本のアンカーボルト４で固定するようにしたもので、それらのアンカーボルト４は土中もしくは土中に打設したコンクリート内に埋設され、その各アンカーボルト４の上端部は、支持台２の下側の支持板２２を貫通して複数個のナット４ａ等で上記支持板２２に連結固定されている。上記各アンカーボルト４の下端部にはワッシャ等よりなる抜け止め用の円板４ｂが設けられている。
【００１８】
そして本発明は上記支柱１の側方に、ウインチ等の巻取機５を取付け支持させるための補助柱６を設けたもので、その補助柱６は支持台２の側面にボルト６１・ナット６２で脱着可能に取付られている。図中、２５は上記支持台２に補助柱６を取付けるための取付板で、その取付板２５は支持台２の前記補強板２４に溶接等で一体的に固着されている。上記ナット６２は上記取付板２５に予め溶接等で固着しておくと、上記補助柱６を取付ける際にボルト６１を容易にねじ込むことができる。
【００１９】
上記補助柱６には、本実施形態においてはウインチよりなる巻取機５が、一対の平面略コ字形のボルト（Ｕボルト）５１とナット５２とで脱着可能に且つ上下位置調節可能に取付けられている。その巻取機５は、前記の支柱１に一端を連結したワイヤＷの他端側を巻取ドラム５ａで巻き取る構成であり、その巻取機５と支柱１との間のワイヤＷを案内するガイドプーリ７が上記補助柱６の上端部に回転自由に設けられている。図中、１５は上記支柱１にワイヤＷの一端を連結するためのワイヤ連結金具、５ｂは上記巻取機５の巻取ドラム５ａを回動させるための操作ハンドルである。
【００２０】
上記の構成において、先ず風力発電機Ｇを設置するに当たっては、例えば所定の設置位置に支持台２を配置してアンカーボルト４等で固定すると共に、上部に風力発電機Ｇを取付けた支柱１を図１、図２の鎖線示１’のように略水平に倒した状態で、その支柱１の下端側の基板１１をヒンジ３を介して支持台２に連結する。また、その支持台２には補助柱６をボルト６１・ナット６２で取付け、その補助柱６に巻取機５をボルト５１・ナット５２で取付ける。
【００２１】
次いで、上記支柱１に一端を連結したワイヤＷの他端をガイドプーリ７を介して巻取機５の巻取ドラム５ａに巻き掛け、操作ハンドル５ｂを回動して上記ワイヤＷの他端を上記巻取ドラム５ａに順次巻き取ることによって、上記支柱１をヒンジ３を支点にして徐々に起立させる。そして、上記支柱１が垂直に起立し、基板１１が支持台２の上面に載置されたところで支持台２の上側の支持板２１と基板１１とをボルト１３・ナット１４で連結して固定すれば、上記支柱１が図１および図２の実線示の起立状態に保持される。
【００２２】
その状態で、図に省略した電気配線や制御機器等を接続すれば、上記風力発電機Ｇによる発電が可能となる。その際、上記巻取機５を補助柱６から取り外すか、或いは巻取機５をも含めて補助柱６を支持台２から取り外しておけば、該巻取機５等を悪戯で回動操作したり、盗難等により紛失するのを防止することができる。
【００２３】
また上記風力発電機Ｇのメンテナンス等を行う場合には、上記巻取機５および補助柱６を再び図１および図２の状態に取付け、上記と反対の順序で巻取機５の巻き取ったワイヤＷを巻き戻しながら支柱１を、図１および図２の実線位置から鎖線位置１’の状態に倒して、風力発電機Ｇのメンテナンス等を行い、終了後は再び上記巻取機５でワイヤＷを巻き取って支柱１を図の実線示の起立状態に戻せばよい。その後も巻取機５および必要に応じて補助柱６をも取り外しておけば、悪戯や盗難が防止され、また上記のような風力発電機Ｇ等を設置する支柱が複数本ある場合には、１つの巻取機５および補助柱６を複数個の支柱に対して使い回しすることもできるものである。
【００２４】
なお、上記実施形態は、補助柱６を支持台２にボルト・ナットで直接取付けるようにしたが、その取付方法は適宜変更可能であり、例えば図５に示すように補助柱６の下端部に断面Ｌ形のブラケット６３を溶接等で一体的に固着し、そのブラケット６３を介して上記支持台２にボルト・ナット等の固着具６４で取付けるようにしてもよい。図中、６３ａは上記ブラケット６３の補強板、２６は上記ブラケット６３を取付ける支持台２側の取付板で、その取付板２６は図５（ａ）に示すように前記補強板２４に形成した凹部２４ａ内に嵌めた状態で該補強板２４に溶接等で固着されている。
【００２５】
また上記各実施形態において、補助柱６には、必要に応じて例えば図５のような補強用の支持ステー８等を設けるようにしてもよい。図の場合は、補助柱６と支持台２の側面にそれぞれ横材８１を取付け、その両横材８１の両端部にそれぞれ支持ステー８をボルト８２等で取付けた構成であるが、その取付方法等は適宜である。
【００２６】
さらに前記の実施形態は、巻取機５を補助柱６に平面略コ字形のボルト５１とナット５２とで取付けたが、その取付手段は適宜であり、例えば図５に示すように補助柱６の側面の所望高さ位置に取付金具５３を溶接等で取付け、その取付金具５３に巻取機５をボルト・ナット等の固着具５４で取付けるようにしてもよい。上記取付金具５３は本実施形態においては図５（ａ）に示すように平らな板材の上下両端部に屈曲部５３ａを形成して、その屈曲部５３ａの幅方向（図５（ｂ）で左右方向）中央部に形成した凹溝５３ｂを補助柱６の側面に係合させると共に、その係合部を溶接して固着した構成であるが、その固着手段は適宜である。
【産業上の利用可能性】
【００２７】
以上のように、本発明による支柱支持装置は、巻取機および必要に応じて補助柱をも含めて、それらの不使用時は支持台等から取り外すことで、悪戯による巻取機の回動操作や盗難を防止することができると共に、支柱を複数本設置する場合には、各支柱毎に巻取機を設置することなく、１つの巻取機で複数個の支柱の起倒操作を行うことが可能となるもので、上記実施形態は風力発電機を取付ける場合を例にして説明したが、風向計や風力計等の観測機器を設置する場合、あるいは街路灯等の照明器や、その他各種機器を支柱を介して地上もしくは屋上等に設置する場合などにも適用可能である。
【図面の簡単な説明】
【００２８】
【図１】本発明による支柱支持装置の一実施形態を示す正面図。
【図２】上記支柱支持装置の一部の拡大図。
【図３】（ａ）および（ｂ）は更に拡大した一部の平面図および正面図。
【図４】（ａ）および（ｂ）は支柱を倒した状態の平面図および正面図。
【図５】（ａ）および（ｂ）は変更例の一部の正面図および側面図。
【符号の説明】
【００２９】
１  支柱
１ａ〜１ｄ  管材
２  支持台
３  ヒンジ
４  アンカーボルト
５  巻取機
６  補助柱
Ｇ  風力発電機
Ｗ  ワイヤ
【図１】
2007146524.tif 000003
【図２】
2007146524.tif 000004
【図３】
2007146524.tif 000005
【図４】
2007146524.tif 000006
【図５】
2007146524.tif 000007